Podtech/llm-jp-corpus-v4-ja_patent huggingface dataset:
(57)【要約】      （修正有）【課題】ティッシュ・ペーパー、トイレット・ペーパー自体（ペーパー）に、多数の広告（企業のロゴ）を掲載する仕組みをつくることによって、プライベート・ブランド商品として、その広告費分を価格ダウンし廉価品を供給するビジネス・スキームを提供する。【解決手段】本ビジネススキームの関係者としては、販売企業（Ａ）、広告代理店（Ｂ）、製紙会社（Ｃ）、広告掲載企業（Ｄ）となる。業務フローは、Ａが発案し、Ｂへ広告集めを依頼し、Ｂは多くの企業（Ｄ）の広告を収集し、収集された広告（ロゴ）をティッシュ・ペーパー、トイレット・ペーパーのペーパー上に印刷用にデザイン版を編集する。そのデザイン版をＡはＣへ提示し、Ａ社のプライベート・ブランドのティッシュ・ペーパー、トイレット・ペーパーとして製造依頼し、出来上がった商品をＡが販売するというものである。【選択図】なし【特許請求の範囲】
【請求項１】
ティッシュ・ペーパー、トイレット・ペーパーの商品本体（ペーパー）に多数の広告を掲載しプライベート・ブランド商品として販売するビジネス・スキーム
【発明の詳細な説明】
【発明が解決しようとする課題】
現在、石油高騰に起因する物価が上昇している。生活用品の値上げは一般庶民の生活を脅かしている。生活用品として代表的な物品であるティッシュ・ペーパー、トイレット・ペーパーも例外ではない。
本企画は、このティッシュ・ペーパー、トイレット・ペーパーについて、新たなビジネススキームを構築することにより、画期的に廉価な商品を提供することを可能とするものである。
【課題を解決するための手段】
ティッシュ・ペーパー、トイレット・ペーパーは現在、無地のものが殆どである（トイレット・ペーパーについては花模様のものもあるが）が、この商品本体（ペーパー）に、多数の広告（企業のロゴ）を掲載することによってプライベート・ブランド商品として販売する。広告費分をコスト切下げに使えるによって廉価品を供給しうるというものである。
【発明を実施するための最良の形態】  本ビジネススキームの関係者としては、販売企業（Ａ）、広告代理店（Ｂ）、製紙会社（Ｃ）、広告掲載企業（Ｄ）となる。業務フローは、Ａが発案し、Ｂへ広告集めを依頼し、Ｂは多くの企業（Ｄ）の広告を収集し、収集された広告（ロゴ）をティッシュ・ペーパー、トイレット・ペーパーのペーパー上に印刷用にデザイン版を編集する。そのデザイン版をＡはＣへ提示し、Ａ社のプライベート・ブランドのティッシュ・ペーパー、トイレット・ペーパーとして製造依頼し、出来上がった商品をＡが販売するというものである。
本企画を遂行する上で以下を考慮する必要がある。
▲１▼販売企業    販売ロットが大きいスーパー・マーケット・チェーンなどがよい
▲２▼販売企業と広告掲載企業との関係および販売ロット    広告掲載企業については業界の特定の企業に偏らないという観点から、一定期間で見直してゆく必要があると考えられる。
▲３▼デザイン及び印刷の体裁    特にティッシュ・ペーパーは白地が好まれていると思われ、ロゴを印刷したものは当初は抵抗があることが予想される。色、ロゴ、配置等のデザインについてセンスのよい工夫が必要である。
【手続補正書】
【提出日】平成20年10月28日(2008.10.28)
【手続補正１】
【補正対象書類名】特許請求の範囲
【補正対象項目名】請求項１
【補正方法】変更
【補正の内容】
【請求項１】
ティッシュ・ペーパー、キッチン・ペーパー、キッチン・タオル、トイレット・ペーパーの商品本体（ペーパー）に多数の広告を掲載しプライベート・ブランド商品として販売するビジネス・スキーム
(57)【要約】【課題】一般消費者が、自身の著作物を第三者に、場所や在庫の制約を受けずに販売できるようにすること。【解決手段】インターネット等のネットワークを介して接続されるシステムであって、一般消費者（会員）が自身の著作物を画像蓄積サーバーに登録することにより、第三者に公開される環境を提供する。第三者が、公開されているコンテンツを購入し、プリント端末機から出力する時点で課金を行ない、システムによる売上情報集計後、販売代金が会員に支払われる機能を有することを特徴とするオンデマンド写真集作成及び販売システム。【選択図】図１
2010061245.tif 000002
【特許請求の範囲】
【請求項１】
個人の著作物である画像データを、サービス提供者のサーバーに登録するシステムと、登録された画像を一般に公開するシステムと、個人を識別するためのユーザー管理システムと、一般消費者が画像を検索・選択するシステムと、選択された画像をプリントするシステムと、一般消費者が画像を購入するための課金・決済システムと画像を登録した個人に対して画像コンテンツ提供代金を支払うことを特徴とするオンデマンド写真集作成及び販売システム。
【発明の詳細な説明】
【技術分野】
【０００１】
本発明は、会員が画像蓄積サーバー（コンテンツギャラリー）に登録した画像データを、第三者（一般消費者）が購入するにあたり、インターネット等のネットワークを介した購入・決済に加え、プリント端末機が設置されている拠点でコンテンツの購入・決済を行ない、オンデマンドによる印刷物を提供・販売するシステムに関するものである。
【背景技術】
【０００２】
インターネットの普及に伴い、一般消費者がオンライン上に公開されている画像コンテンツを購入できる仕組みが既に存在している。例えばネットワークを使用してユーザー端末機からコンテンツギャラリーにアクセスし、コンテンツの購入予約時に発行される予約番号を店舗の端末に入力し、出力するネットプリントなどがある。
【０００３】
しかしながら、コンテンツの登録はサービスを提供する事業者が行なっており、固定的なものとなっている。
【発明の開示】
【発明が解決しようとする課題】
【０００４】
本発明は、一般消費者が自身の著作物を画像蓄積サーバーに登録し、第三者に販売できるようにすることを課題とする。
【課題を解決するための手段】
【０００５】
上記課題を解決するため本発明に係るオンデマンド写真集作成及び販売システムは、インターネット等のネットワークを介して接続されるシステムであって、画像蓄積サーバーと、ユーザー管理サーバーとテンプレートサーバーと、課金・決済システム、プリントシステムを有し、一般消費者が相互に画像コンテンツを売買することができる仕組みを提供することを特徴とするものである。
【０００６】
このシステムの構成、作用は以下の通りである。
ユーザー管理サーバーは、画像コンテンツ提供者を識別するために識別情報登録時（会員登録時）に、ユーザーアカウントとパスワードを発行する。
識別情報は、画像コンテンツ提供者名、住所、電話番号、銀行口座、クレジットカード番号などである。
【０００７】
画像コンテンツ提供者は、上記アカウントとパスワードを用いて、画像蓄積サーバー（コンテンツギャラリー）にログインし、画像コンテンツを登録する。その際、画像を分類するための属性情報を付与することができる。
【０００８】
一般消費者は、情報端末を使用しインターネット等のネットワークを介してコンテンツギャラリーにアクセスする。登録されている画像コンテンツを属性により検索し、購入コンテンツを選択・決定する。
購入コンテンツが確定されると予約番号が発行される。予約番号は任意で指定のメールアドレスに通知することができる。
また、プリント端末機を介してコンテンツギャラリーにアクセスし、購入コンテンツを選択・決定することもできる。
【０００９】
一般消費者は、プリント端末機に予約番号を入力し、プリント端末機に表示されるサムネイル画像を確認後、プリントを実行する。
また、情報端末を介さずプリント端末機上で購入コンテンツを決定した場合においては、予約番号の発行なしにサムネイル画像を確認後、プリントを実行することができるものとする。
【００１０】
プリント実行時における代金の支払については、プリント端末に備え付けられているコインボックスに料金を投入する方法が使用できるものとする。
【００１１】
購入コンテンツに既存のテンプレートによる装飾を実施する場合、（例えば、カレンダーやポストカードなど）プリント端末機上でテンプレートを選択し、購入コンテンツと組み合わせてプリントが行なえるものとする。
【００１２】
画像コンテンツ提供者へのコンテンツ販売代金の支払いにおいては、期間を区切って（例えば３ヶ月に一度）集計後、会員登録時に申請のあった口座へ支払うものとする。
【発明の効果】
【００１３】
本発明は、インターネット等のネットワークを介した仕組みであることから場所の制約を受けず、在庫を持つこともなく、個人が個人に対して著作物を販売するシステムを提供することができる。
【図面の簡単な説明】
【００１４】
【図１】オンデマンド写真集作成及び販売システムの概略構成を示す図
【図２】会員登録を行なう場合の手順を示すフロー図
【図３】会員が画像データを登録する場合の手順を示すフロー図
【図４】一般消費者が画像コンテンツを購入する場合の手順を示すフロー図
【図５】会員に画像コンテンツ販売代金を支払う場合の手順を示すフロー図
【図１】
2010061245.tif 000003
【図２】
2010061245.tif 000004
【図３】
2010061245.tif 000005
【図４】
2010061245.tif 000006
【図５】
2010061245.tif 000007
(57)【要約】【課題】本発明は、常に圧電振動子を共振点にて確実に駆動することにある。 【解決手段】本発明は、圧電振動子１０と、これに高周波駆動電圧を与える発振源５０を設け、圧電振動子１０と並列に補正用コンデンサ２０を接続する。圧電振動子１０に流れる電流と補正用コンデンサ２０に流れる電流を、鉄心３０の芯線を中心に、互いに左右反対に回転させることで、圧電振動子１０の寄生容量の影響が打ち消され、電流位相が正確に計測されるので、制御回路を用いて共振点で確実に駆動することが可能となる。 【選択図】    図１
2010194456.tif 000002
【特許請求の範囲】
【請求項１】
圧電振動子１０と、前記圧電振動子１０に高周波駆動電圧を与える発振源５０を設け、前記圧電振動子１０と並列に補正用コンデンサ２０を接続し、前記圧電振動子１０に流れる電流と前記補正用コンデンサ２０に流れる電流を、鉄心３０の芯線を中心に互いに左右反対に回転させることで、鉄心３０の磁路には両者の電流を減算した値の磁力が生じ、変換器４０で電気信号として取り出し、補正された電流位相を検出する方法。
【請求項２】
圧電振動子１０と、前記圧電振動子１０に高周波駆動電圧を与える発振源５０と、前記圧電振動子１０と並列に接続された補正用コンデンサ２０と、前記圧電振動子１０に流れる電流と前記補正用コンデンサ２０に流れる電流を、芯線を中心に互いに左右反対に回転させた鉄心３０と、前記鉄心３０の磁路に流れる磁力を電流信号に位相合成する変換器４０とから構成され、
前記圧電振動子１０を共振点で駆動すべく前記発振源５０を制御する制御回路とを具備したことを特長とする圧電振動子の駆動装置。 
【請求項３】
前記変換器４０が、前記鉄心３０に巻かれたコイルと、前記コイル両端に並列に電気的接続された抵抗器から構成される請求項２の駆動装置。 
【請求項４】
前記変換器４０が、前記鉄心３０の磁路の中に配置されたホール素子と、前記ホール素子を通過する磁界を計測する回路から構成される請求項２の駆動装置。
【発明の詳細な説明】
【技術分野】
【０００１】
本発明は、圧電振動子を用いて、超音波振動を安定して発生する技術を提供するものである。
【背景技術】
【０００２】
一般的なランジュバン型超音波圧電振動子には共振周波数frがあり、共振周波数に合致した駆動信号を与えると、最も効率よく振動する共振という性質がある。ただし共振の範囲は狭くかつ温度等で推移するため、常に共振周波数を正確に追いかける必要がある。
一方、圧電振動子は図２の等価回路のとおり、質量にあたるインダクタンスLとバネ定数に当るコンデンサＣと負荷に当る抵抗Ｒが直列につながっている。このＬＣＲ直列回路が機械系の振動にあたる。他方、電気的に寄生する容量Ｃｄも存在する。共振が起きている時は、ＬのインピーダンスとＣのインピーダンスが相殺され、ＬＣＲ直列回路に流れる電流の位相と印加電圧の位相が一致する。
そこで、圧電振動子に流れる電流と印加電圧の位相が一致するようにＰＬＬ回路を組むことで共振に近い状態を保つことができる。共振点との誤差は、寄生コンデンサＣｄに流れる電流が原因である。
この誤差をなくすために、特許文献１のとおり圧電振動子と並列に補正用コンデンサを挿入し、その電流値を引き算することで寄生コンデンサＣｄに流れる電流を相殺する回路がある。これは共振周波数が変わっても誤差が生じない長所がある。ただし、比較回路、乗算回路、減算回路が必要となり、回路が複雑となる欠点があった。また周波数が高くなればなるほど、各回路の動作速度が問題となり限界があった。
【特許文献１】特開平８−１１７６８７
【発明の概要】
【発明が解決しようとする課題】
【０００３】
圧電振動子から流れる電流から、圧電振動子と並列に接続された補正用コンデンサから流れる電流を減算する機能を、単純な構造で実現し、かつより高い周波数で動作可能とすることが課題である。
【課題を解決するための手段】
【０００４】
本発明は、圧電振動子から流れる電流から、圧電振動子と並列に接続された補正用コンデンサから流れる電流を減算する機能を、高透磁率の磁性材料で作られる鉄心の芯線を中心に、互いに左右反対に回転させることで、鉄心の磁路には両者の電流を減算した値の磁力が生じ、この磁力を変換器で電気信号として取り出すことにより、両電流の減算結果が取り出せる。
【発明の効果】
【０００５】
本発明の請求項１の方法により、単純な構造で確実に寄生コンデンサＣｄの影響をなくすことが出来る。これにより、常に共振周波数を正確に追従でき、効率の高い振動を発生することができる。また、鉄心は単純なため、回路が簡単になるとともに、高い周波数での動作が可能となる。
【図面の簡単な説明】
【０００６】
【図１】実施例を説明する図である。
【図２】圧電振動子の等価回路を説明する図である。
【図３】請求項３の変換器を説明する図である。
【図４】請求項４の変換器を説明する図である。
【発明を実施するための形態】
【０００７】
以下、本発明の実施形態を説明する。なお、以下に説明する実施形態は、本発明を実施するにあたっての具体例であるから、技術的に種々の限定がなされているが、本発明は、以下の説明において特に本発明を限定する旨明記されていない限り、これらの形態に限定されるものではない。
【実施例】
【０００８】
図１に本発明の実施例を示す。圧電振動子１０と、これに高周波駆動電圧を与える発振源５０を設け、圧電振動子１０と並列に補正用コンデンサ２０を接続し、高周波駆動電圧を印加する。圧電振動子１０に流れる電流と補正用コンデンサ２０に流れる電流を、高透磁率の磁性材料で作られる鉄心３０の芯線を中心に互いに左右反対に回転させることで、鉄心３０の磁路には両者の電流を減算した値の磁力が生じる。この磁力を変換器４０で電気信号として取り出し、正しく補正された電流位相を検出する。ＰＬＬ回路等で電流位相と電圧位相を比べ、同位相となるように印加電圧の周波数を制御することで、正確な共振周波数追従が可能となる。
【０００９】
圧電振動子１０の寄生コンデンサ容量Ｃｄと補正用コンデンサ２０の容量Ｄｄが同じなら、鉄心３０への巻き数比は１：１でよい。Ｃｄ：Ｄｄ＝Ｎ：１ならば、巻数を１：Ｎにすれば同じ効果が得られる。
鉄心３０は透磁率の高い材質（フェライト等）を用い、形状は棒状またはリング状とする。
変換器４０は、請求項３のとおり、鉄心３０にコイルを巻き、両端に抵抗を接続することで実現できる。抵抗両端電圧には、圧電振動子の電流から寄生コンデンサの電流を差し引いた電流位相が得られる。
別の方式として、請求項４のとおり、鉄心３０の磁路の中にホール素子を埋め込み、ホール素子の抵抗値から電流位相を計測する方式もある。 
【産業上の利用可能性】
【００１０】
超音波の利用は洗浄や計測や加工や医療にまで広がっている。効率の高い振動発生が実現することにより、製品の出力向上やコスト削減や省エネ化などが期待できる。
【符号の説明】
【００１１】
１０    圧電振動子
２０    補正用コンデンサ
３０    鉄心
４０    鉄心の磁路の磁力を電気信号に変える変換器
５０    高周波駆動電圧を与える発振源
【図１】
2010194456.tif 000003
【図２】
2010194456.tif 000004
【図３】
2010194456.tif 000005
【図４】
2010194456.tif 000006
(57)【要約】【課題】出没式筆記具のノック棒を押して筆記先端部が没入状態になった確認を忘れて衣服に装着したことで筆記先端部が衣服に接着したために衣服を汚す。【解決手段】筆記先端部の没入状態になったことの確認を忘れて筆記具のクリップで衣服に装着を行っても衣服は安全ロックバネの一部に衝突して筆記具を装着する事ができない。【選択図】図１
2010194970.tif 000002
【特許請求の範囲】
【請求項１】
先端部出没式筆記具の筆記先端が出している状態の時、リフィールに取り付けた安全ロックバネの一部が先端出没式筆記具の筆記具ケース小窓からはみ出してクリップの裏面を押圧するが筆記先端が没入状態の時はリフィールに取り付けた安全ロックバネの一部が先端部出没式筆記具の筆記具ケース内に格納されることを特徴とする先端部出没式筆記具。
【発明の詳細な説明】
【技術分野】
【０００１】
本発明は、先端部が出没する筆記具を衣服のポケットに装着して携帯する際に先端部を収納することを忘れて先端部が衣服に接触する事を防ぐ技術に関するものである。
【背景技術】
【０００２】
筆記部である先端を後部のノック棒を押し込む事を繰り返して、出没させる筆記具の一種であるノッチ式は常時リターンバネでリフィールを没する方向に押圧を掛けている力に逆らってノック棒を押し込み、ノッチ穴によってリフィールの突出位置にする、筆記が終わるとノッチをはずして先端を没入させる。
【０００３】
後部のノック棒を押し込む事を繰り返して、筆記部である先端を出没させる筆記具の一種である回転カム式はノック棒を押し込む度に、ノック棒と連結した回転カムが回転して、リターンバネで押圧したリフィールとチップを出没させる筆記具は衣服に装着するとセーフティ機構が働いてボールペンの先端を収納する技術は以前からあった。
【先行技術文献】
【特許文献】
【０００４】
【特許文献１】特開平９-１１８０９５&shy;号公報
【発明の概要】
【発明が解決しようとする課題】
【０００５】
解決しようとする問題点は、先端部出没式筆記具を被服のポケットに装着して携帯する際、突出した筆記部である先端を没する工程を忘れたために衣服がインクなどで汚れることを防ぐための技術を提供する。
【課題を解決するための手段】
【０００６】
本発明は、図１に示すように筆記具ケース８にクリップホルダー７が固定されクリップホルダーの中心でノック棒１が縦方向に移動可能であり筆記部方向の先端に回転カムが作られている、ノック棒の中心で縦方向に上下移動できる案内棒６はノック棒の回転カムと噛合いながら筆記具ケースに成形されている縦溝と勘合している、案内棒はリターンスプリング５によって筆記部方向から押圧を受けたリフィールの後部と勘合している、
安全ロックバネ１２はリフィール３に固定して、安全ロックバネの一部が筆記具ケースに作られた小窓から外側にはみ出していてクリップの裏面を押圧している。図１のように安全ロックバネの一部がクリップの裏面を押圧して筆記部先端が出している状態では衣服に装着に行っても衣服は安全ロックバネの一部に衝突して装着する事ができない、図２のように安全ロックバネの一部が筆記具ケースの小窓のエッジに接触して筆記具ケースの内側に没入した状態では衣服に装着することができる。
【発明の効果】
【０００７】
筆記先端部を没入させることを忘れて衣服に装着しようとしても安全ロックバネの一部に衣服が衝突して装着ができないために衣服を汚すことがない。
【図面の簡単な説明】
【０００８】
【図１】図１は先端部出没式筆記具の先端部が出ている状態を示した説明図である。（実施例１）
【図２】図２は先端部出没式筆記具の先端部が没入している状態を示した説明図である。（実施例２）
【図３】図３はチップ付きリフィール図。
【図４】図４はケース。
【図５】図５はクリップホルダー。
【図６】図６は安全ロックバネの上面図。
【図７】図７は出没式筆記具の断面図。
【図８】図８は筆記具ケース断面図。
【図９】図９は安全ロックバネ側面図。
【図１０】図１０安全ロックバネ正面図。
【発明を実施するための形態】
【０００９】
従来の出没式筆記具に最小の変更を加え一個の部品を追加するだけで衣服を汚さない機構を実現した。
【実施例１】
【００１０】
図１は、先端部出没式筆記具の先端部が出ている状態を示した説明図であって、図２は、先端部出没式筆記具の先端部が没入している状態を示した説明図である。図３〜６と８〜１０は、先端部出没式筆記具の部品図である。図７、は出没式筆記具の断面図である。
【００１１】
本発明は、図１に示すように筆記具ケース８にクリップホルダー５が固定されクリップホルダーの外周の一部にクリップが付いている、クリップホルダーの中心のノック棒１を縦方向に押さえるとノック棒の中心で縦方向に上下移動できる案内棒６がノック棒の回転カムと噛合いながら筆記具ケースに成形されている縦溝と勘合して筆記部方向に移動する、案内棒はリターンスプリング１１によって筆記部方向から押圧を受けたリフィール３の後部と勘合している。
スプリング効果のある金属性の安全ロックバネ１２はリフィール３に固定しているために安全ロックバネの一部が筆記具ケースから外側にはみ出ていてクリップの裏面を押圧している。図１のように安全ロックバネの一部がクリップの裏面を押圧して筆記部先端が出ている状態では筆記具のクリップで衣服に装着に行っても衣服が安全ロックバネの一部に衝突して筆記具を装着する事ができない、次に再びノック棒を押さえると案内棒は少し回転して筆記具ケースの縦溝から次の縦溝に移動して先端部がケースの中に没入する。図２のように先端部がケースの中に没入して安全ロックバネの一部が筆記具ケースの小窓のエッジに接触して上ケースの内側に没入した状態では衣服に装着することができる。このため出没式筆記具を正常な状態で使用することができ衣服を汚さない。
【図２】
2010194970.tif 000003
【図５】
2010194970.tif 000004
【図１】
2010194970.tif 000005
【図３】
2010194970.tif 000006
【図４】
2010194970.tif 000007
【図６】
2010194970.tif 000008
【図７】
2010194970.tif 000009
【図８】
2010194970.tif 000010
【図９】
2010194970.tif 000011
【図１０】
2010194970.tif 000012
(57)【要約】【課題】  外出時に洋式トイレを使用する時に便座に簡易に脱着できる携帯便座シ−トを提供する。【解決手段】  便座の形をした布の裏側に粘着剤を施した携帯便座シ−ト。【選択図】図１
2010194284.tif 000002
【特許請求の範囲】
【請求項１】
便座の形をした布の裏側に剥離自在の粘着剤を施した携帯便座シ−ト。
【発明の詳細な説明】
【技術分野】
【０００１】  本発明は、外出時に様式トイレを使用する際、便座に張り付けて使用する携帯便座シ−トに関するものである。
【特許文献１】特許第６７２８７７号広報
【背景技術】
【０００２】従来、様式便器を嫌う人や和風式便器でなければ用お済ませない人は外出時や会社等でトイレを使用したくなった時、和風式便器を探した。
【発明の開示】
【発明が解決しようとする課題】
【０００３】  そのために、次のような問題点があった。
最近は会社、公共施設、店舗でも様式便器が多くなり、色々な人、他人様が使用している便器に直に腰を掛けるのに抵抗を感じた
本発明は以上の問題点を解決しようとするものである
【課題を解決するための手段】
【０００４】  上記の問題点を解決するため本発明は、便座の形をした布の裏側に剥離自在の粘着剤を施した携帯便座シ−トである。
【発明の効果】
【０００５】  本発明は、様式便器の便座の上に重ねて使用するもので、いわば自分専用であり、使用後は剥がして丸め、袋に入れればコンパクトになりバッグ等に入れて持ち歩きが便利である。
【発明を実施するための最良の形態】
【０００６】以下、本発明の実施の形態を説明する。
（イ）便座の形をした布（２）の裏側の数か所に粘着剤を施し、抗菌コ−トする
（ロ）携帯便座シ−トを収納する袋（４）に開閉ひも（５）を設ける。
本発明は、以上の構成よりなっていてこれを使用するときは先ず、
袋（４）から携帯便座シ−ト（１）を取り出して、粘着剤（３）の方を便座にあてがえて広げていけば便座の形をしているので便座にフィットし粘着剤（３）を施してあるので使用中身体を動かしてもずれる心配はない、使用後はまるめながら剥がせば袋（４）に入れやすい。
【図面の簡単な説明】
【０００７】
【図１】本発明の斜視図
【図２】本発明の分解斜視図
【図３】本発明の使用状態を示す斜視図
【符号の説明】
【０００８】    １  携帯便座シ−ト
２  布
３  粘着剤
４  袋
５  開閉ひも
６  便座
ａ  取付図
ｂ  まるめる（取付及び取外し）
ｃ  袋に入れる（収納）
【図１】
2010194284.tif 000003
【図２】
2010194284.tif 000004
【図３】
2010194284.tif 000005
(57)【要約】【課題】  そば切りをするとき、麺体の上に駒板を重ね乗せて、それをガイドにしてそば切りをするが、従来の駒板では下の麺体が隠れて、そば切り状態を目視することが困難であった。そば切り幅は包丁を傾けて駒板を横へ移動さえる時の包丁の角度で判断していた。そのため正確なそば切り幅の判断をするには熟練を必要とした。またそば切りを直接目視しようとすると、無理な姿勢になり疲労をともなった。【解決手段】  そば切り状態を直接目視できれば、熟練をしていなくても、無理な姿勢をとらなくても、そばを同じ幅で切ることが容易になる。本発明では、そば切り状態を直接目視できるようにするために、板の一端（１）に当て木（２）を設け、その当て木（２）の中央部分に空間（３）を設けて、駒板の真上から下まで見通せるようしたことを特徴とする。【選択図】図１
2010194283.tif 000002
【特許請求の範囲】
【請求項１】
板（１）の一端に当て木（２）を設け、当て木（２）の中央部分に真上から下を見通せる空間（３）を設けた駒板。
【発明の詳細な説明】
【技術分野】
【０００１】  この発明は、そば切りで同じ幅に切り揃えることを容易にするために、当て木の中央部分に真上から下まで見通せる空間を設け、真上からそば切り状態を目視できるようにした、そば切り補助具の駒板に関するものである。
【背景技術】
【０００２】  従来の駒板は、板の一端に角棒状の当て木を設けただけのものであった。
これを、切ろうとする麺体の上に重ね乗せ、駒板の当て木に包丁の側面をあてがい、当て木をガイドにして、包丁で麺体を切り下ろすものであった。
そして、切り下ろした包丁を当て木側に傾けて、駒板全体に横方向の力を加え、下の麺体を動かさずに、重ね乗せた駒板だけをわずかに横へ移動させていた。
駒板を横に移動させることで、当て木の真下には次に切る麺体があらわれることになり、これがそばの切り幅となる。
同じように、当て木に包丁をあてて、露出した麺体を切り下ろし、駒板だけを横に移動させ、次に麺体を切る幅だけ露出させ、このようにして反復してそば切りをしていた。
駒板を横へ移動させる量は、当て木の高さとかかわっていて、同じ移動量の場合、当て木の背が高いと包丁の傾け角度は小さくなり、当て木が低いと包丁の傾け角度は大きくなる。
当て木にあてる包丁の傾け角度は、好みや熟練度による個人差があり、そのため個人差に対応して、当て木の高さの違う駒板が各種提供されていた。
【発明の開示】
【発明が解決しようとする課題】
【０００３】  これらには、次のような欠点があった。
従来の駒板では、麺体を包丁で切る時、麺体の上に駒板を重ね乗せる状態になり、それがため麺体が隠れて、駒板の真上からはそば切り状態を目視できなかった。
反復して同じ幅にそばを切り揃えようとすると、切り下ろす度ごとに、駒板全体を横へ移動させる包丁の傾け角度で判断することになり、それを正確に行うには熟練を要した。
熟練していない初心者の場合は、包丁の傾け角度だけでは正確な切り幅が判断できないので、当て木の下に露出したそばを見て切ることになるが、そのためには当て木とその下の麺体が見える位置に視点を移さなければならず、右利きの場合は右側に大きく屈み込むようにして外側から見る無理な姿勢をとらなければならなかった。
左利きの場合は左に屈みこむ姿勢をとらなければならなかった。
本発明は、以上のような欠点を無くすためになされたものである。
【課題を解決するための手段】
【０００４】  板（１）の一端に設けた当て木（２）の中央部分に真上から下まで見通せる空間（３）を設け、そば切り状態を駒板の上から目視できるようにした。
こうすることで、麺体に駒板を重ね乗せても、当て木の中央部分に空間があるため、下端まで見通せるようになり、麺体に包丁の刃が当たる状態を真上から見ることができる。
本発明は、以上の構成よりなるそば切り状態を真上から目視できる駒板である。
【発明の効果】
【０００５】  本発明の当て木に設けた空間により真下を目視できるので、包丁の傾け角度だけに頼って横移動させていた駒板も、熟練していなくても正確に横移動させることができるようになった。
また、当て木の真下に露出した麺体を目視できるので、それを見ながら確認して切ることができるので、初心者にもそばを同じ幅に切り揃えることが容易になった。
また、当て木の真上からそば切り状態を目視できるため、従来の駒板でそば切り状態を見ようとする時に強いられた、外側に屈み込むような身体に負担をかける無理な姿勢をとる必要もなくり、そば切り作業の疲労を軽減させることができた。
【発明を実施するための最良の形態】
【０００６】  以下、本発明を実施するための最良の形態について説明する。
そば切りの状態を、駒板の真上から見えるようにするためには、当て木を切り欠いて下まで見通すことのできる空間が必要である。
従来の駒板では、切り下ろした包丁を傾けて、当て木全体に横方向の力を加えて駒板を横へ移動させているが、駒板を平行に横移動させるためには当て木全体に力を加える必要はなく、当て木の両端へ均等に力を加えるだけで十分である。
そこで、当て木の両端部分を残し、中央部分を凹型に切り欠いて空間を設け真上から下まで見通すことができるようにする。
しかし、真上から見て、当て木が凹型になるこの方法では、当て木に接していない露出した麺体の面積が大きくなり、連続してそば切りをする時に次のような不都合を生じる。
切り下ろした包丁を持ち上げる時に、当て木で押さえられていない露出した麺体が包丁に付着して浮き上がることがあって、その部分の麺体の形が崩れ、次に包丁で切り下ろす時に真っ直ぐに同じ幅で切れなくなる。
これを防ぐためには、当て木に設けた空間は、下まで目視できる状態でありながら、麺体の浮き上がりを防止する必要があった。
麺体が浮き上がらないように押さえの役目も果たし、なおかつ真上から下まで見通してそば切り状態を目視できるようにするためには、当て木の中央部分を凹型に切り欠いた空間の上部を広く、下部を狭くなるように斜面にすることで解決した。
板（１）の一端に設けた当て木（２）の中央部分に真上から下まで見通せる空間（３）を設け、この空間を通して麺体を包丁が切る状態を見えるようにする。
本発明は、以上のような構造である。
【図面の簡単な説明】
【０００７】
【図１】本発明のそば切り状態を真上から目視できる駒板の斜視図である。
【符号の説明】
【０００８】    １  板
２  当て木
３  空間
【図１】
2010194283.tif 000003
(57)【要約】【課題】箸やカラフルな玉を使用する為、口に入れてしまう恐れがある。【解決手段】玉を大きくすることで、異食を予防できる。【選択図】図１
2010194281.tif 000002
【特許請求の範囲】
【請求項１】
高齢者の身体機能低下予防訓練、食事の自力摂取訓練、色の識別訓練等をゲーム感覚で楽しく行なうことの出来ることを特徴とするリハビリテーション機器。
【発明の詳細な説明】
【技術分野】
【０００１】  本発明は、リハビリテーションを目的とする作業療法機器に関するものである。
【背景技術】
【０００２】  お重の中は図１に示すように縦４列横４列、計１６等分割されている。各マスには異なった色が配色されている。また、その同じ色の玉が１６個とシリコン樹脂のコーティングされたプラスチック製の箸がセットになる。
【先行技術文献】
【特許文献】
【０００３】
【特許文献１】
【非特許文献】
【０００４】
【非特許文献１】
【発明の概要】
【発明が解決しようとする課題】
【０００５】  解決しようとする問題点は、認知症や知的障害者等の見当識障害により誤って異食する可能性がある。
【課題を解決するための手段】
【０００６】  本発明は、玉が口に入らない程度の大きさにすることで事故を防ぐものとする。
【発明の効果】
【０００７】  第一発明は、お重内を異なった色で１６分割してあること。子どもから高齢者まで認識しやすい。
また、第二発明は、他人と早さや正確性を競争することで楽しく行なえることを特徴とするリハビリテーション機器である。【０００８】以上の技術によれば、脳の疾病による上肢の麻痺や認知症。怪我等で自力での食事摂取が困難な者。及び身体機能低下予防を目的とする高齢者、身体障害者、知的障害者等に対し、正確に手指を動かす訓練や色を識別する訓練として用いる。そこで、この発明は、作業療法としてのリハビリテーション機器として提供するものである。
【図面の簡単な説明】
【０００９】
【図１】図１はこの発明の一実施形態を示す斜視図である。（実施例１）
【図２】図２は１６色を示す上視図である。玉も１６色。（実施例２）
【発明を実施するための形態】
【００１０】  この発明の一実施形態を、図１に示す。
お重本体は、一辺が２４０ｍｍと蓋、箸はプラスチック製であり、長さ２００ｍｍ。箸には滑り止めのシリコン樹脂がコーティングしてある。お重の一升は縦横６センチ高さ４．５センチ。玉はセルロイドまたは同質のプラスチック製のメンコと呼ばれる円形素材で出来ている。直径は４０ｍｍ重さ２．７グラムのものにカラー塗料で色付けする。
【実施例１】
【００１１】  この実施形態によれば、色の数や玉の大きさが適度である。認知症患者・知的障害者等が、誤って口に入れても素材に空気口を開けることで、窒息を免れることができる。
【実施例１】
【００１２】  図２の実施例は、ＤとＨ、ＮとＯのように、ところどころ同系色を隣り合わせにすることで、色の識別能力を高めることが出来る。
【産業上の利用可能性】
【００１３】  特に、今後増加する高齢者のリハビリテーション機器として利用できる。
【符号の説明】
【００１４】１    お重本体
２    お重の蓋
３    箸（シリコンコーティング）
４    玉（１６色）
【図１】
2010194281.tif 000003
【図２】
2010194281.tif 000004
(57)【要約】【課題】靴下や手袋等の洗濯物を洗濯機で洗った後、ばらばらにならない様に一組づつ挟んだまま洗えるカバー付き洗濯ばさみを提供する。【解決手段】布（１）の数箇所に、洗濯ばさみ（３）の先端の形に合わせた袋状の形（２）を設け、その袋（２）に洗濯ばさみ（３）を設け、洗濯ばさみ（３）の力点部分を布テープ（４）にはめ込んだカバー付き洗濯ばさみを特徴とする。【選択図】図１
2010194282.tif 000002
【特許請求の範囲】
【請求項１】
カバーとなる布（１）の数箇所に洗濯ばさみの先端の形に合わせた袋状の形（２）を設け、袋状のところに洗濯ばさみ（３）を設置したカバー付き洗濯ばさみ。
【発明の詳細な説明】
【技術分野】
【０００１】  この発明は洗濯ばさみにカバーをつけカバー越しに洗濯物をはさめるようにしたカバー付き洗濯ばさみに関するものである。
【背景技術】
【０００２】  従来、洗濯ばさみにカバーはついていなかった。
【発明の概要】
【発明が解決しようとする課題】
【０００３】  これは、次のような欠点があった
靴下、手袋等、洗濯後に一組ずつ干したい衣類を一組ずつ洗濯ばさみで挟んで洗濯機で洗うと洗濯ばさみの突起等で他の衣類を傷めてしまう恐れがあった。本発明は、以上の欠点を除くためになされたものである。
【課題を解決するための手段】
【０００４】カバーとなる布（１）の数箇所に、洗濯ばさみの先端のはさむ部分の形に合わせた袋状の形（２）を設ける。そこに洗濯ばさみ（３）を入れる。カバーとなる布（１）に布テープ（４）を取り付け洗濯ばさみの力点部分をはめ込み固定する。
【発明の効果】
【０００５】洗濯ばさみにカバーが付いているので、靴下や手袋など揃えて挟んだまま洗濯機で洗濯できるため、洗い終わってもばらばらにならずに、揃えて干す手間が省ける。
【図面の簡単な説明】
【０００６】
【図１】本発明の斜視図である。
【図２】本発明の側面図である。
【図３】本発明の正面図である。
【発明を実施するための最良の形態】
【０００７】  以下、発明を実施するための最良の形態を説明する。
洗濯ネットの素材のような薄手のカバーとなる布（１）の数箇所に洗濯ばさみ（３）の先端のはさむ部分に合わせた袋状の形（２）を設ける。そこに洗濯ばさみ（３）を取り付け、外れないように薄手の布（１）に設けた布テープ（４）に洗濯ばさみ（３）の力点部分をはめ込み固定する。
使用時以外は、洗濯機周辺に設置しておくためのかけひも（５）を、カバーとなる布（１）の上部に設ける。
【実施例】
【０００８】  これは通常、洗濯機周囲にかけひもやマグネットなどで設置しておき、靴下や手袋等の洗濯物を使用した本人が一組づつ洗濯ばさみに挟んでおくことで、洗濯する者はそのまま洗濯機に入れて洗えばよい。洗濯後そのまま取り出し、ばらばらになった対の洗濯物を探すことなく、そのまま干すことが出来る。
【符号の説明】
【０００９】  １  カバーとなる布
２  袋状の形
３  洗濯ばさみ
４  布テープ
５  かけひも
【図１】
2010194282.tif 000003
【図２】
2010194282.tif 000004
【図３】
2010194282.tif 000005
(57)【要約】【課題】従来の竹トンボは教材としても取り入れられた経緯もあったが、加工の際の道具類は、鋸と錐と小刀が必要とされた、厚紙羽根トンボの軸の加工は軸の先端に設ける羽根受け台座と突起は凸形であるのでカッターナイフ一本で加工できる。【解決手段】軸の羽根受け台座が凸形であるから、厚紙羽根の加工を容易にする。【選択図】図２
2010194276.tif 000002
【特許請求の範囲】
【請求項１】
矩形の長方体の下方に台座を設け、その下方に円錐の軸を設け、軸を回転させることによって台座にセットした厚紙羽根トンボを飛翔させる回転軸。
【発明の詳細な説明】
【技術分野】
【０００１】軸の先端を厚紙の中心部に矩形の穴を穿った所に差し込んで、軸に回転を加えて厚紙のトンボを空中に飛ばす。
【背景技術】
【０００２】従来の竹トンボはトンボの軸と羽根が一体のものであったり、又羽根の中心に錐で二ケ所の穴を開けて、軸の先端にはその羽根の穴に挿入する二本の突起を設けたりして材が主に竹であった為に加工に難点があった。
【発明の開示】
【発明が解決しようとする課題】
【０００３】紙トンボ軸は厚紙を加工した羽根を飛ばす為のものであるが、羽根材が紙を加工したものである為に比較的にその危険度は低い、紙材であるので部屋の中でも紙トンボの飛行を楽しめる。
【課題を解決するための手段】
【０００４】軸の先端部に紙トンボの受けを設けたものであって、その受け台に矩形の突起を付けたもので従来の竹トンボの様に軸の先端に二本の突起物を設けることは不要になった。
【発明の効果】
【０００５】軸の上方に設ける羽根受けは形が矩形である為に、比較的に加工がしやすく、カッターナイフ一本で加工が可能で子供達の工作にも寄与できる、よって羽根のデザイン形が多様になり子供達の想像力を刺激し、色々な形の紙トンボの羽根のデザインが可能になる。
【実施例】
【０００６】厚紙トンボ羽根を矩形の長方体に差し入れ台座に置いて、両手の平にて軸に回転を加えて羽根を飛翔させる。
【図面の簡単な説明】
【０００７】
【図１】正面図
【図２】イラスト図
【符号の説明】
【０００８】１，羽根差し込む突起部
２，羽根受け台座部
３，軸
【図１】
2010194276.tif 000003
【図２】
2010194276.tif 000004
(57)【要約】【課題】今までの壁面を利用した保護帽保管具では壁面でしか取付けが出来ず、マンションのコンクリート壁の場合はしかたなくロッカーの中や机の上に置くしかなかった。建設現場では必需品の転落防止安全帯も同様に困っていた。壁取付型は広い壁面積が必要であったり、出入り口の近くの壁面が設置条件になっていた。【解決手段】扇形の棚板に保護帽外型がなじむ深皿状のくぼみを作り、そこに保護帽の内側が上向きになるよう保管し、その保護帽の内側に安全帯を同心円状に丸めて両者一体で収納出来るようにし、横から落下しないよう遮へい物を施し、前面から出し入れするため少し傾けて棚板が取付けられており、前面から出し入れを行う。保護帽と接する棚板面はすべりにくくし、床又は壁に本発明保管具転倒防止のため金具やビスを使って固定した。床置きにすることで壁面だけにこだわらず設置場所の選択肢が増え、空間の有効利用を目的とする。【選択図】図２
2010194275.tif 000002
【特許請求の範囲】
【請求項１】
立体形をなし、数段の棚板で区切られ、棚板中央部は深皿形にくぼみを作り、そこに保護帽の内側を上に向けた状態で保管、その内側に転落防止安全帯等を収納した、床置型保護帽安全帯保管具。
【発明の詳細な説明】
【技術分野】
【０００１】  本発明は床置型で保護帽と転落防止安全帯を一体で保管する用具に関するものである。
【背景技術】
【０００２】  従来、保護帽の保管は壁面を利用した保管具に収納していたが、壁面がコンクリートの場合は使用出来ず又、広い壁面積が必要であったため、置き場所に困っていた。転落防止安全帯も同時に保管出来る様に考案した。（特許文献１参照）
【特許文献１】実用新案公開平７−２５８８４
【発明の開示】
【発明が解決しようとする課題】
【０００３】  壁面を利用した保護帽保管具では、壁面でしか保管が出ず、しかたなくロッカーの中や上部、靴入れの中などに収納していて置き場所に困っていたが、本発明は以上２点を一体として保管する事でこの問題を解決するものである。
【問題を解決するための手段】
【０００４】  扇形の棚板に保護帽外型がなじむ深皿状のへこみを作り、保護帽の内側が上になるよう収納し、その保護帽内面に安全帯を同心円状にまるめて収納する。
各棚板ごと、保護帽と安全帯を保管し、本体両端部は保護帽がすべり落ちないよう遮へい物を施し、少し傾けて棚板を取り付け、前面からの保護帽の落下を防ぐよう滑りにくい処置を施し、床又は壁に本発明の保管具転倒防止のため金具やビスで固定する。
【発明の効果】
【０００５】  従来、建設事務所内で現場から帰った人は、保護帽を壁面に取付けた保護帽保管具に収納するが、壁面がコンクリート製の場合はロッカーの上や机の上等においていた。又、高所転落防止用安全帯も置き場所に困っていた。本発明は壁面を利用しないで床置きにし、保護帽の内面空間に安全帯を同心円状に丸めて収納できるようにすることで、
設置場所の選択肢も増え、取付けも簡単に出来、多人数現場にも省スペースで対応出来るようになる。
【発明を実施するための最良の形態】
【０００６】  以下、本発明の実施の形態を説明する。
（イ）保護帽が収納出来る最小サイズの立体容器に適当枚の棚板（１）を設置する。
（ロ）棚板の中央部に保護帽外側面が下向きにスッポリ収まる型状と深さのへこみを施す。
（ハ）立体容器の両端部（２）には保護帽（３）や安全帯（４）等が落下しないよう遮へい物を施す。
（二）保護帽の内面を上に安全帯を同心円状に丸めて収納、出し入れ可能な間隔に棚板を設ける
（ホ）前面より出し入れを行い、保護帽のひさしをつかみやすいよう棚板は傾きをつけ、端部より前に飛び出るようにする。
（ヘ）本発明品が転倒しないよう、床又は壁に金具やビスで防止処置を施す。
【図面の簡単な説明】
【０００７】
【図１】本発明の斜視図
【図２】本発明の使用状態を示す斜視図
【図３】本発明の断面図
【符号の説明】
【０００８】  （１）棚板    （２）遮へい物    （３）保護帽    （４）安全帯等
【図１】
2010194275.tif 000003
【図２】
2010194275.tif 000004
【図３】
2010194275.tif 000005
(57)【要約】      （修正有）【課題】天プラ揚げをした後、揚げかすを取り除くのに用いた揚げかす取り具の後始末を衛生的に且つ簡単に行う。【解決手段】一本の針金をＵ字型に二つ折りにし、両先端を円状に交差させて、それぞれ左右に固定し揚げかす取り部を設けたことを特徴とする。２ケの円状（２ａ）（２ｂ）揚げかす取り部に揚げかす取り袋を被せ使用する。使用後は取って部（４ａ）（４ｂ）を内側へ押すことにより容易に揚げかす取り袋を取り外すことが出来る。【選択図】図１
2010194280.tif 000002
【特許請求の範囲】
【請求項１】
線状物で取って部（４ａ）（４ｂ）と円状部（２ａ）（２ｂ）を設けたことを特徴とする天プラ揚げかす取り具。
【発明の詳細な説明】
【技術分野】
【０００１】  この発明は、天プラの揚げかすを取り除くための、揚げかす取り具に関するものである。
【背景技術】
【０００２】  従来、天プラの揚げかす取りは、金網でできているお玉を使用していた。使用後、金網の目に入り込んだ油を取り除くのは、面倒であった。きれいに油を取り除くため洗剤を使用すると網目の中に洗剤が残る危険があった。
【先行技術文献】
【特許文献】
【０００３】  特開２０００−５１１０５号公報、特開平９−８４７０５号公報、特開平７−２５５６１６号公報。
【発明の概要】
【発明が解決しようとする課題】
【０００４】  天プラの揚げかす取り具は使用すると、お玉の金網の網目の中まで油が付着していて、洗浄して油を取り除くのは容易でなかった。そこで本発明は、その欠点を取り除くために発明されたものである。
【課題を解決するための手段】
【０００５】  １本の針金（１）をＵ字型に、二つ折りし、その針金（１）の両先端で円状（２ａ）（２ｂ）に交差させて、それぞれ左右の針金（３ａ）（３ｂ）に固定する。２ケの円状（２ａ）（２ｂ）に被せる揚げかす取り袋を用意する。形状は円形で一部に開口部のある袋。開口部は開けやすくするため一枚を少し短くする。
【発明の効果】
【０００６】  これを使用する時は、取っ手部（４ａ）（４ｂ）を手で内側へ押さえることにより先端の円状部（２ａ）（２ｂ）が交差して幅が狭くなり、揚げかす取り袋（５）を容易に被せることができる。
袋（５）を被せた状態で揚げかすを取り除き、使用後、揚げかす取り袋（５）をはずすには、又、取って部（４ａ）（４ｂ）を内側へ押すことにより幅が狭くなり簡単に取れる。
汚れた袋の部分を下方に向ければ手を触れることなく屑籠へ落とせる。
使用後の洗浄も線状であるので非常に簡単であり衛生的である。又、天プラの揚げかすだけでなく、他の料理のアク取りにも利用できる。
【図面の簡単な説明】
【図１】  本発明のかす取り袋を被せた状態の平面図。
【図２】  本発明の円状部の幅を狭くした状態の平面図。
【図３】  本発明の揚げかす取り袋の平面図。
【符号の説明】（１）            針金
（２ａ）（２ｂ）  円状部
（３ａ）（３ｂ）  固定部
（４ａ）（４ｂ）  取って部
（５）            揚げかす取り袋
（６）            開口部
【図１】
2010194280.tif 000003
【図２】
2010194280.tif 000004
【図３】
2010194280.tif 000005